(57)【要約】      （修正有）【課題】電磁炉の起動と同時に、換気装置を起動して油煙を排除することができる排煙効果を有する電磁炉を提供する。【解決手段】電磁炉本体と換気装置とを含み、該電磁炉本体１２は頂面と、頂面に設けられた少なくとも１つの電磁加熱炉面１８とを有し、電磁炉本体は結合ベース２０をさらに有する。換気装置１４は、排気扇３２と排気扇の底部に結合された支持ロッド３４とを含み、支持ロッドの下端には結合部３６が設けられており、結合部が電磁炉本体の結合ベースに結合されることで、換気装置が電磁炉本体に結合される。【選択図】図２
0003212518.tif 000002
【実用新案登録請求の範囲】
【請求項１】
頂面と該頂面に設けられた少なくとも１つの電磁加熱炉面とを有し、電磁加熱炉面に隣接した結合ベースをさらに有する電磁炉本体と、
排気扇と該排気扇上に結合された支持ロッドとを含み、該支持ロッドの下端には該電磁炉本体の結合ベースと結合する結合部が設けられることで、該電磁炉本体に結合される換気装置と、
を備えることを特徴とする排煙効果を有する電磁炉。
【請求項２】
該結合ベースは該頂面から該電磁炉本体の内部へ凹み、底壁と該底壁から上方へ延在する環状周壁とを含み、該支持ロッドの結合部は該結合ベースの周壁内に入れられて結合されることを特徴とする請求項１に記載の排煙効果を有する電磁炉。
【請求項３】
該底壁の周囲には凹溝が設けられ、該結合部の底端は該凹溝内に挿入され結合されることを特徴とする請求項２に記載の排煙効果を有する電磁炉。
【請求項４】
該支持ロッドの結合部にはトレンチが設けられ、該トレンチ内にはワッシャが設けられ、該ワッシャは該結合ベースの周壁に当接されることを特徴とする請求項２に記載の排煙効果を有する電磁炉。
【考案の詳細な説明】
【技術分野】
【０００１】
本考案は、排煙効果を有する電磁炉に関し、特に換気装置が設けられた電磁炉に関するものである。
【背景技術】
【０００２】
電磁炉を卓上に置いて食べ物を加熱することには、使用上の利便性がある。しかしながら、食べ物の加熱に伴い、油煙が大量に発生するため、油煙をすぐに濾過しなければ、匂いに堪えられないのみならず、長期間にわたって蓄積された油あかが環境を汚染してしまうことがある。一般の家庭のキッチンでは、通常、油煙を濾過するための換気装置が設置されている。しかしながら、一般的には、電磁炉を換気装置の下方に置いて調理することはない。
【０００３】
市場では油煙を濾過するための卓上型油煙濾過器があるが、従来の卓上型油煙濾過器の値段が高価であり、しかも卓上に放置される油煙濾過器は安定性が不十分であり、使用の際にはスペースを取り落ちやすいため、実施には不便がある。
【考案の概要】
【考案が解決しようとする課題】
【０００４】
そこで、本考案は、卓上に置いて食べ物を加熱すると同時に、油煙を排除・濾過する効果を兼ねた、排煙効果を有する電磁炉を提供することを目的とする。
【課題を解決するための手段】
【０００５】
本考案に係る排煙効果を有する電磁炉は、電磁炉本体と換気装置とを含み、該電磁炉本体は頂面と、該頂面に設けられた少なくとも１つの電磁加熱炉面とを有し、該電磁炉本体は電磁加熱炉面に隣接した結合ベースをさらに有する。該換気装置は、排気扇と該排気扇に結合された支持ロッドとを含み、該支持ロッドの下端には結合部が設けられており、該結合部は該電磁炉本体の結合ベースに結合されることで、該換気装置は該電磁炉本体に安定的に結合され、油煙を排除可能となる。
【考案の効果】
【０００６】
本考案に係る排煙効果を有する電磁炉によれば、排煙作用を兼ねるとともに換気装置によって占有されたスペースを減らすことができる。
【図面の簡単な説明】
【０００７】
【図１】本考案に係る電磁炉の立体模式図である。
【図２】図１の電磁炉の素子分解図である。
【図３】図１の電磁炉の局所断面模式図である。
【図３ａ】図３の局所拡大図である。
【図４】本考案に係る電磁炉の他の実施例の模式図である。
【図５】本考案に係る電磁炉のさらに他の実施例の模式図である。
【考案を実施するための形態】
【０００８】
図１ないし図３は、本考案に係る実施例の排煙効果を有する電磁炉１０を示す。電磁炉１０は、電磁炉本体１２と換気装置１４とを含む。電磁炉本体１２の内部には、加熱用コイル（従来技術、図示せず）が設けられている。電磁炉本体１２は、少なくとも１つの電磁加熱炉面１８が上方に設けられた頂面１６を有する。電磁炉本体１２は、電磁加熱炉面１８に隣接した結合ベース２０をさらに有する。この実施例において、結合ベース２０は、頂面１６に設けられ、頂面１６から電磁炉本体１２の内部へ凹み、底壁２２と底壁２２から上方へ延在する環状周壁２４とを含む。底壁２２の周囲には凹溝２６が設けられている。実施可能な実施例において、結合ベース２０は、頂面１６から上方へ突出可能である。他の実施可能な実施例において、結合ベース２０は、電磁炉本体１２の周囲に設置可能であり、電磁炉本体１２の頂面１６に設けられることに限定されない。
【０００９】
換気装置１４は、電磁炉本体１２に着脱可能に結合されている。換気装置１４は、排気扇３２と、排気扇３２の底部に結合された支持ロッド３４とを含み、支持ロッド３４の下端には、電磁炉本体１２の結合ベース２０と結合するための結合部３６が設けられている。結合部３６には、内部にワッシャ３０が結合されたトレンチ３８が設けられている。支持ロッド３４の結合部３６が結合ベース２０内に入れられた場合、結合部３６の底端は凹溝２６内に挿入され、ワッシャ３０は結合ベース２０の周壁２４に当接される（図３ａ参照）。このため、排気扇３２は電磁炉本体１２の頂面１６に安定的に結合可能となる。
【００１０】
本考案に係る電磁炉１０によれば、使用の場合には、調理しようとする食材を電磁加熱炉面１８に置いて加熱する。油煙濾過する場合、電磁炉本体１２上に結合された排気扇３２を起動するだけで食材加熱による油煙を濾過することができ、室内空気の新鮮を維持することができる。具体的には、電磁炉本体１２に設けられた結合ベース２０には換気装置１４の支持ロッド３４が結合される。このため、本考案に係る電磁炉１０は、小型の排気扇をさらに有し、油煙を濾過することができ、四方へ拡散することはない。また、換気装置１４及び電磁炉本体１２は解体可能であるため、電磁炉１０の収納や搬送はより利便となる。
【００１１】
図４、図５は、本考案に係る電磁炉１０が３つの電磁加熱炉面１８、及び４つの電磁加熱炉面１８を有することをそれぞれ示している。さらに、電磁炉１０が複数の電磁加熱炉面１８を有した場合、一つの換気装置１４だけで油煙を効果的に排除可能であることをさらに示している。
【００１２】
上記のように、本考案に係る特定の実施例のみであり、本考案の設計特徴に基づいてなされる複数の変更や修飾は理解しうるものである。従って、この技術を熟知した者によってなされた変更や修飾は依然として本考案の技術範囲に入るものである。
【００１３】
以上のように、本考案では、頂面と該頂面に設けられた少なくとも１つの電磁加熱炉面とを有し、電磁加熱炉面に隣接した結合ベースをさらに有する電磁炉本体と、排気扇と該排気扇上に結合された支持ロッドとを含み、該支持ロッドの下端には該電磁炉本体の結合ベースと結合する結合部が設けられることで、該電磁炉本体に結合される換気装置と、を備えることを特徴とする排煙効果を有する電磁炉とするものである。
【００１４】
また、該結合ベースは該頂面から該電磁炉本体の内部へ凹み、底壁と該底壁から上方へ延在する環状周壁とを含み、該支持ロッドの結合部は該結合ベースの周壁内に入れられて結合されるものとする。
【００１５】
また、該底壁の周囲には凹溝が設けられ、該結合部の底端は該凹溝内に挿入され結合されるものとする。
【００１６】
また、該支持ロッドの結合部にはトレンチが設けられ、該トレンチ内にはワッシャが設けられ、該ワッシャは該結合ベースの周壁に当接されるものとする。
【産業上の利用可能性】
【００１７】
本考案に係る排煙効果を有する電磁炉によれば、排煙作用を兼ねるとともに換気装置によって占有されたスペースを減らすことができる。
【符号の説明】
【００１８】
１０  電磁炉
１２  電磁炉本体
１４  換気装置
１６  頂面
１８  電磁加熱炉面
２０  結合ベース
２２  底壁
２４  環状周壁
２６  凹溝
３０  ワッシャ
３２  排気扇
３４  支持ロッド
３６  結合部
３８  トレンチ
【図１】
0003212518.tif 000003
【図２】
0003212518.tif 000004
【図３】
0003212518.tif 000005
【図３ａ】
0003212518.tif 000006
【図４】
0003212518.tif 000007
【図５】
0003212518.tif 000008